(57)【要約】      （修正有）【課題】各端末の受信環境に適応してDMRSを配置し、高い伝送レートで通信を行うことができる通信装置、通信方法および集積回路を提供する。【解決手段】基地局１００において、参照信号設定部１０１は、複数の復調用参照信号（DMRS）マッピングパターンから一つのDMRSマッピングパターンを選択する。複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含む。送信部１０６は、選択されたDMRSマッピングパターンを示す複数のビットを含む下り制御情報を送信する。【選択図】図９
2018038045.tif 000002
【特許請求の範囲】
【請求項１】
複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含む、設定部と、
前記選択されたDMRSマッピングパターンを示す複数のビットを含む下り制御情報を送信する送信部と、
を具備する通信装置。
【請求項２】
前記第１のDMRSマッピングパターンでは、前記サブフレームの前半における前記DMRSリソースエレメントの数が、前記サブフレームの後半における前記追加DMRSリソースエレメントの数よりも多い、
請求項１に記載の通信装置。
【請求項３】
前記第１のDMRSマッピングパターンでは、前記DMRSをマッピングするための少なくとも一つ又は二つの連続するOFDMシンボルが定義される、
請求項１又は２に記載の通信装置。
【請求項４】
前記第１のDMRSマッピングパターンでは、前記DMRSをマッピングするための周波数領域のリソースの数は、前記追加DMRSをマッピングするための周波数領域におけるリソースの数よりも少ない、
請求項１から３のいずれか一項に記載の通信装置。
【請求項５】
前記DMRSマッピングパターンは、端末装置毎に選択される、
請求項１から４のいずれか一項に記載の通信装置。
【請求項６】
前記設定部は、サブフレーム毎に前記DMRSマッピングパターンを選択する、
請求項１から５のいずれか一項に記載の通信装置。
【請求項７】
前記複数のDMRSマッピングパターンは、前記通信装置と端末装置との間で共有される、
請求項１から６のいずれか一項に記載の通信装置。
【請求項８】
前記送信部は、前記選択されたDMRSマッピングパターンに従ってマッピングされたDMRSを含む下り信号を送信する、
請求項１から７のいずれか一項に記載の通信装置。
【請求項９】
複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含み、
前記選択されたDMRSマッピングパターンを示す複数のビットを含む下り制御情報を送信する、
通信方法。
【請求項１０】
前記第１のDMRSマッピングパターンでは、前記サブフレームの前半における前記DMRSリソースエレメントの数が、前記サブフレームの後半における前記追加DMRSリソースエレメントの数よりも多い、
請求項９に記載の通信方法。
【請求項１１】
前記第１のDMRSマッピングパターンでは、前記DMRSをマッピングするための少なくとも一つ又は二つの連続するOFDMシンボルが定義される、
請求項９又は１０に記載の通信方法。
【請求項１２】
前記第１のDMRSマッピングパターンでは、前記DMRSをマッピングするための周波数領域のリソースの数は、前記追加DMRSをマッピングするための周波数領域におけるリソースの数よりも少ない、
請求項９から１１のいずれか一項に記載の通信方法。
【請求項１３】
前記DMRSマッピングパターンは、端末装置毎に選択される、
請求項９から１２のいずれか一項に記載の通信方法。
【請求項１４】
サブフレーム毎に前記DMRSマッピングパターンを選択する、
請求項９から１３のいずれか一項に記載の通信方法。
【請求項１５】
前記複数のDMRSマッピングパターンは、前記通信装置と端末装置との間で共有される、
請求項９から１４のいずれか一項に記載の通信方法。
【請求項１６】
前記選択されたDMRSマッピングパターンに従ってマッピングされたDMRSを含む下り信号を送信する、
請求項９から１５のいずれか一項に記載の通信方法。
【請求項１７】
複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含む、処理と、
前記選択されたDMRSマッピングパターンを示す複数のビットを含む下り制御情報を送信する処理と、
を制御する集積回路。
【発明の詳細な説明】
【技術分野】
【０００１】
本発明は、通信装置、通信方法および集積回路に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域の無線帯域、MIMO（Multiple-Input Multiple-Output）伝送技術、干渉制御技術を利用して高い伝送レートの通信を実現する検討が盛んに行われている。
【０００３】
さらに、セルラ移動体通信システムにおいては、送信電力が低い無線通信基地局装置（以下、「基地局」と省略する）であるスモールセルを配置し、ホットスポットの高伝送レートを実現することが検討されている。スモールセルを運用するキャリア周波数として、マクロセルと異なる周波数を割り当てることが検討されている。３．５ＧＨｚ等の高い周波数がキャリア周波数の候補となっている。スモールセルとマクロセルが異なる周波数帯で運用されると、スモールセルにおいてマクロセルからの送信信号が干渉とならない。したがって、スモールセルを配置することにより、高い伝送レートの通信を実現することができる。
【０００４】
LTE-Advancedでは、データ信号であるPDSCH（Physical Downlink Shared CHannel）の復調に使用する参照信号（RS：Reference signal）として、CRS（Cell specific Reference Signal）またはDMRS（DeModulation Reference Signal）が用いられる。
【０００５】
CRSは、セル単位でアンテナポート数、リソース位置が定められ、データ信号の復調とともに回線品質の測定にも使用される。このため、無線通信端末装置（以下、「端末」と省略する。UE（User Equipment）と呼ばれることもある）ごとにCRSのリソース量を変更することは困難である。
【０００６】
一方、DMRSは、ユーザ単位でアンテナポート数、リソース位置が定められ、主にデータ信号の復調に使用される。また、他のRB（Resource Block）pair（後述）に配置されるDMRSは、信号の割り当てに影響しない。このため、端末ごとにDMRSのリソース量を最適化しやすい。
【０００７】
スモールセルでは、移動速度の遅い端末および遅延スプレッドが小さい室内に存在する端末を収容することが検討されている。そのような端末の回線品質は良いと推定される。そこで、回線品質が良い端末に対しては、DMRSの量を削減し、削減したリソースをデータ領域に使用し、さらに伝送レートを高くすることが検討されている（非特許文献１、２参照）。
【０００８】
［リソースの説明］
LTEおよびLTE-Advancedでは、１RBは１２サブキャリア×０．５msec である。RBを時間軸上に二つ組み合わせた単位をRB pairと呼ぶ。したがって、RB pairは１２サブキャリア×１msecである。周波数軸上の１２サブキャリアの塊を表す場合、RB pairを単にRBと呼ぶこともある。また、RB pairは、物理レイヤでは、PRB（Physical RB） pair と呼ばれる。また、PRB pairの前半のRB(0.5msec)を 1st slot, 後半のRB(0.5msec)を2nd slotと呼ぶ。
【０００９】
また、１サブキャリア×１OFDMシンボルの単位を１RE（Resource Element）と呼ぶ。１RB pairあたりのOFDMシンボル数は、OFDMシンボルのCP length の長さによって変わる。normal CPの場合、１RB pairあたり１４OFDMシンボルである。extended CPの場合、１RB pairあたり１２OFDMシンボルである。
【００１０】
Normal CPの場合のDMRSの配置パターンを図１に示す。アンテナポート#7、#8のみを使用する場合には、１２REのみがDMRSに割り当てられる。アンテナポート#9以降が使用される場合には、２４REがDMRSに割り当てられる。アンテナポート#7，#8，#9，#10が使用される場合、同一サブサブキャリアの隣接するOFDMシンボルにおいて、アンテナポート#7，#8がOCC（Orthogonal Cover Code）でCDMA多重され、アンテナポート#9，#10がOCCでCDMA多重される。さらに、アンテナポート#11，#12，#13，#14が使用される場合、同一サブサブキャリアの４REを用いて、アンテナポート#7，#8，#11，#13がOCCでCDMA多重され，アンテナポート#9，#10，#12，#14がOCCでCDMA多重される。
【００１１】
複数のアンテナポートは、SU-MIMO（Single User MIMO）およびMU-MIMO（Multi User MIMO）に使用される。SU-MIMOでは、１つの端末にアンテナポート#7〜#14を使用することができる。ただし、１アンテナポートとして使用することができるのはアンテナポート#7，#8のみであり、アンテナポート数X（>１）では、アンテナポート#7,#8, …..#X+6が使用される。例えば、アンテナポート数Xが６の場合では、アンテナポート#7, #8, #9, #10, #11, #12が使用される。直交多重のMU-MIMOは、アンテナポート#7，#8をOCC多重することで実現される。ただし、端末は、自局の割り当てしか知らないので、MU-MIMOが実際行われているかどうかを認識することはできない。
【００１２】
［周波数軸方向の削減］
図２に、DMRSを周波数軸方向に削減したDMRSの配置パターンの一例を示す。端末が室内にあって遅延スプレッドが短い場合等、回線品質の周波数変動が緩やかな受信環境にある端末に対してこの配置パターンを割り当てると、DMRSを削減したことによる受信品質の低下を抑えることができる。周波数軸方向にDMRSを削減する場合には、同一サブサブキャリアの４REを用いて多重する。これにより、アンテナポート#7, #8,#11, #13のCDMA多重およびアンテナポート#9, #10, #12, #14のCDMA多重をサポートすることができる。
【００１３】
［時間軸方向の削減］
図３に、DMRSを時間軸方向に削減したDMRSの配置パターンの一例を示す。移動速度が低く、回線品質の時間変動が緩やかな受信環境にある端末に対してこの配置パターンを割り当てると、DMRSを削減したことによる受信品質の低下を抑えることができる。しかしながら、アンテナポート＃7から#14が使用される場合、同一サブサブキャリアの４REを用いて、アンテナポート#7, #8, #11, #13がCDMA多重され、アンテナポート#9, #10, #12, #14がCDMA多重されるので、従来のデザインでは、アンテナポート#11から#14をサポートすることができない。
【先行技術文献】
【非特許文献】
【００１４】
【非特許文献１】R1-130022 “Analysis and initial evaluation results for overhead reduction and control signaling enhancements”
【非特許文献２】R1-130138 “Downlink DMRS redunction for small cell”
【発明の概要】
【発明が解決しようとする課題】
【００１５】
端末が、接続先のスモールセルをサブフレームごとに変更する運用では、スモールセルによって受信品質が異なるので、最適なDMRSのパターンもサブフレーム毎に異なる。
【００１６】
しかしながら、従来のDMRSの配置方法は、全ての端末に固定のパターンでDMRSを配置することが想定されており、端末ごとに異なる受信環境に適応していない。
【００１７】
また、複数の隣接するセル間において同一のパターンでDMRSを配置すると、一つの基地局が、DMRSの電力を上げて（power boosting）、回線品質を高めようとしても、他セルの基地局が同一リソースのDMRSの電力を上げると干渉量が増えるため、回線品質が向上し難い。
【００１８】
本発明の目的は、各端末の受信環境に適応してDMRSを配置し、高い伝送レートで通信を行うことができる通信装置、通信方法および集積回路を提供することである。
【課題を解決するための手段】
【００１９】
本発明の一態様の通信装置は、複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含む、設定部と、前記選択されたDMRSマッピングパターンを示す複数のビットを含む下り制御情報を送信する送信部と、を具備する構成を採る。
【００２０】
本発明の一態様の通信方法は、複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含み、前記選択されたDMRSマッピングパターンを示す複数のビットを含む下り制御情報を送信する。
本発明の一態様の集積回路は、複数の復調用参照信号（DMRS）マッピングパターンから一つのDMRSマッピングパターンを選択し、前記複数のDMRSマッピングパターンは、DMRSをマッピングするためのDMRSリソースエレメントがサブフレームの前半に位置し、追加のDMRSをマッピングするための追加DMRSリソースエレメントがサブフレームの後半に位置する第１のDMRSマッピングパターンを含む、処理と、前記選択されたDMRSマッピングパターンを示す複数のビットを含む下り制御情報を送信する処理と、を制御する。
【発明の効果】
【００２１】
本発明によれば、DMRSの配置パターンを端末毎に設定することができるので、各端末の受信環境に適応してDMRSを配置し、高い伝送レートで通信を行うことができる。
【図面の簡単な説明】
【００２２】
【図１】DMRSの配置の一例を示す図
【図２】周波数軸方向に削減したDMRSの配置パターンの一例を示す図
【図３】時間軸方向に削減したDMRSの配置パターンの一例を示す図
【図４】本発明の実施の形態１に係る、Normal CPかつDLサブフレームのDMRSの配置パターンとシグナリングを示す図
【図５】本発明の実施の形態１に係る、Extended CPかつDLサブフレームのDMRSの配置パターンとシグナリングを示す図
【図６】本発明の実施の形態１に係る、すべてのビットが”0”であるビット列に対応するDMRSの配置パターンの一例を示す図
【図７】本発明の実施の形態１に係る基地局の要部構成を示すブロック図
【図８】本発明の実施の形態１に係る端末の要部構成を示すブロック図
【図９】本発明の実施の形態１に係る基地局の構成を示すブロック図
【図１０】本発明の実施の形態１に係る端末の構成を示すブロック図
【図１１】本発明の実施の形態１のバリエーションにおけるDMRSの配置パターンの一例を示す図
【図１２】本発明の実施の形態１のバリエーションにおけるDMRSの配置パターンの一例を示す図
【図１３】本発明の実施の形態２に係るDMRSの配置パターンの一例を示す図
【図１４】本発明の他の実施の形態１に係るDMRSの配置パターンの一例を示す図
【図１５】本発明の他の実施の形態２に係るDMRSの配置パターンの一例を示す図
【図１６】本発明の他の実施の形態３に係るDMRSの配置パターンの一例を示す図
【図１７】本発明の他の実施の形態４に係るDMRSの配置パターンの一例を示す図
【図１８】本発明の他の実施の形態５に係るDMRSの配置パターンの一例を示す図
【発明を実施するための形態】
【００２３】
以下、本発明の実施の形態について図面を参照して詳細に説明する。なお、以下の説明において、「DMRSの配置パターン」とは、予め定められたDMRSを配置可能なREの全てにDMRSを配置したパターン、および、予め定められたDMRSを配置可能なREの内、所定の規則に従って一部のREにDMRSを配置せず、DMRSを削減したパターン、の両方を含むものとする。
【００２４】
［実施の形態１］
［概要］
本実施の形態では、複数ビットのシグナリングにより、DMRSの配置パターンを端末ごとに通知する。この場合の各ビットは、対応する各DMRSグループにDMRSを配置して送信するか否かを示す。DMRSグループは、DMRSを配置可能な複数の隣接REからなる。DMRSのアンテナポート数が３以上の場合（すなわち、アンテナポート#9を使用する場合）、サブキャリア方向に２個、OFDMシンボル方向に２個の隣接する４REを１つのDMRSグループとする。また、DMRSのアンテナポート数が２以下の場合、サブキャリア方向に１個、OFDMシンボル方向に２個の隣接する２REをDMRSグループとする。これにより、例えば、移動速度が遅い端末に対して時間軸方向にDMRSを削減した配置パターンを割り当て、遅延スプレッドが短い端末に対して周波数軸方向にDMRSを削減した配置パターンを割り当てることができる。
【００２５】
［Normal CP］
図４は、Normal CPかつDLサブフレームのDMRSの配置パターンとシグナリングを示す図である。Normal CPでは、DMRSグループ数を６とし、各DMRSグループをA,B,C,D,E,Fで表す。図４（Ａ）、（Ｂ）は、アンテナポート数が３以上の場合を示し、図４（Ｃ）、（Ｄ）は、アンテナポート数が２以下の場合を示す。図４（Ａ）、（Ｃ）は、DMRSが削減されない場合を示し、図４（Ｂ）、（Ｄ）は、DMRSが削減された場合を示す。また、各ビットの”1”は、対応するDMRSグループにDMRSを配置して送信することを示し、”0”は、対応するDMRSグループではDMRSを送信しないことを示す。図４（Ｂ）、（Ｄ）の例では、“1,0,1,0,1,0”が指示されているので、DMRSグループA,C,EのみでDMRSが送信され、DMRSグループB,D,FではDMRSが送信されない。端末では、DMRSグループA,C,EのDMRSを用いてチャネル推定を行う。
【００２６】
なお、Special subframeでは、DMRSが配置されるOFDMシンボルが通常のDL サブフレームと異なるが、DL サブフレームと同様に６つのDMRSグループに分けることできる。
【００２７】
［Extended CP］
図５は、Extended CPかつDLサブフレームのDMRSの配置パターンとシグナリングを示す図である。Extended CPでは、アンテナポート#7, #8のみが使用され、アンテナポート#9以降は使用されない。図５では、DMRSグループ数を８とし、各DMRSグループをA,B,C,D,E,F,G,Hで表す。図５（Ａ）は、DMRSが削減されない場合を示し、図５（Ｂ）は、DMRSが削減された場合を示す。図５（Ｂ）の例では“1,0,1,0,1,0,1,0”が指示されているので、DMRSグループA,C,E,GのみでDMRSが送信され、DMRSグループB,D,F,HではでDMRSが送信されない。端末では、DMRSグループA,C,E,GのDMRSを用いてチャネル推定を行う。
【００２８】
このように、同一サブキャリアのOFDMシンボル方向に隣接する２REをグループ化し、DMRSの送信、非送信を切り替えると、グループ内の２REで２つのアンテナポート間（#7と#8または#9と#10）のOCCでのCDMA多重を保つことができる。また、アンテナポート#9以上を使用する場合に、隣接するサブキャリアを含め４REをグループ化することにより、DMRSに使用しないREをPDSCHに割り当てる際に、データとDMRSの多重を避けることができる。なお、アンテナポートが異なるPDSCHとDMRSを多重すると、受信側の干渉キャンセラの動作が複雑になる。
【００２９】
［特別な動作］
ここで、すべてのビットが”0”であるビット列（以下、「All 0 ビット列」という）を、すべてのDMRSを送信しないとすると、端末は、チャネル推定を行うことができず、PDSCHを復調することができない。そこで、本実施の形態では、All 0 ビット列は、特別な動作を通知するものとする。以下、その動作例について説明する。
【００３０】
［動作例１：CRSおよびPDCCHを配置しないNCT（New carrier type）］
本例では、All 0 ビット列が、先頭の２OFDMシンボルにDMRSを配置することを示すものとする。図６（Ａ）は、本例のDMRSの配置パターンの一例を示す図である。
【００３１】
NCTでは、CRSおよびPDCCH（Physical Dedicated Control CHannel）を配置せずに、DMRSおよびDMRSで復調するEPDCCH（Enhanced PDCCH）で運用することが考えられている。LTE-Advancedでは、DMRSが、CRS、および、CRSで復調されるPDCCHが配置されるサブフレームに配置される前提で設計されている。PDCCHはサブフレームの先頭のOFDMシンボルに配置されるので、DMRSは先頭のOFDMシンボルを避けて配置される。PDCCHが配置されないNCTでは先頭OFDMシンボルをPDSCHに使用することが考えられている。
【００３２】
しかしながら、PDSCHを先頭のOFDMシンボルに配置すると、DMRSとの間隔が広くなり、チャネル推定精度が劣化するという懸念がある。そこで、本例では、DMRSを先頭の２OFDMシンボルに配置する。これにより、チャネル推定精度が悪いと予測される端末に対して、チャネル推定精度を向上させることができる。
【００３３】
［動作例２］
本例では、All 0 ビット列が、１つおきのRB pairにDMRSを配置することを示すものとする。図６（Ｂ）は、本例のDMRSの配置パターンの一例を示す図である。本例では、DMRSが偶数のRB pairのみに配置され、奇数RB pairに配置されない。これにより、DMRSを配置するRE数を約１／２にすることができる。
【００３４】
［動作例３］
本例では、All 0 ビット列が、CRSを用いてPDSCHを復調することを指示するものとする。図６（Ｃ）は、本例のDMRSの配置パターンの一例を示す図である。本例ではDMRSが配置されず、代わりにCRSが配置される。本例は特に、rel.8〜11の端末が接続できるBCT（Backward Compatible carrier Type）に対して有効である。BCTではCRSが送信されるサブフレームがあるため、そのサブフレームにおいてPDSCHのプリコーディングがCRSと同じでよい場合に、DMRSのREをすべてPDSCHに使用することができるので、DMRSを削減してもチャネル推定精度を維持することができる。
【００３５】
［DMRSの配置パターンの通知方法］
以下、本実施の形態における、基地局が端末にDMRSの配置パターンを通知する方法について説明する。
【００３６】
［Option 1：上位レイヤのシグナリングとDCIでの通知の組み合わせ］
Option 1では、基地局が、端末に対して、予め上位レイヤのシグナリングで、DMRSの配置パターンの候補を通知しておき、その後、動的に、DMRSの配置パターンの候補の中から１つを選択し、PDCCHまたはEPDCCHで送信されるDCIにて通知する。
【００３７】
このように、２段階の通知を行うことにより、DCIにて通知するシグナリングのビット数を削減することができる。さらに、動的なシグナリングは、DCI format 2Dで送信されるPQI（PDSCH RE Mapping and Quasi-Co-Location indicator）と共通とすることもできる。なお、PQIは、２ビットであり、以下の表に示すように、上位レイヤで設定されるパラメータを指示する情報である。
【表１】
2018038045.tif 000003
【００３８】
上位レイヤでは、最大４セットのパラメータが設定される。パラメータの内容は、以下の通りである。
・Number of CRS antenna ports for PDSCH RE mapping 
・CRS frequency shift for PDSCH RE mapping
・MBSFN subframe configuration for PDSCH RE mapping
・Zero-power CSI-RS resource configuration for PDSCH RE mapping
・PDSCH starting position for PDSCH RE mapping
・CSI-RS resource configuration identity for PDSCH RE mapping
【００３９】
Option 1では、このパラメータに、"Reduced DMRS pattern"を追加する。これにより、DCIで動的に指示するビット数を増加させずに、DMRSの配置パターンを指示することができる。PQIで指示するパラメータは、主にCoMPの送信ポイントのパラメータを指定するために使用される。したがって、DMRSの配置パターンも、送信ポイントごとに変更することができる。したがって、基地局は、回線品質に応じてDMRSの配置パターンを選択することができる。
【００４０】
［Option 2：上位レイヤのシグナリングと(E)PDCCH set typeでの通知］
Option 2−1では、上位レイヤのシグナリングで、EPDCCH set （またはPDCCH set）ごとにDMRSの配置パターンを設定する。LTE-Advancedでは、２つのEPDCCH set（サーチスペース）を設定することができる。そこで、端末は、PDSCHが割り当てられたEPDCCH setによって、DMRSの配置パターンを変更する。EPDCCH setは、set ごとにlocalized 割り当て/Distributed 割り当てのいずれかを設定し、RB pair数を設定することができるので、EPDCCH set ごとに端末の受信品質が異なる。したがって、基地局は、端末の回線品質の変動にあわせてEPDCCH setおよびPDCCH setを選択することができるので、回線品質に応じてDMRSの配置パターンを選択することができる。
【００４１】
Option 2−2では、上位レイヤのシグナリングで、EPDCCHの候補位置ごとにDMRSの配置パターンを設定する。LTE-Advancedでは、Aggregation levelごとに、複数のEPDCCHの候補位置が設定される。端末は、EPDCCHの候補位置をブラインド復号し、DL grant およびUL assignment を検出する。その際、端末は、EPDCCHの候補位置の中から検出した位置によって、DMRSの配置パターンを変更する。したがって、基地局は、端末の回線品質の変動にあわせてEPDCCHの候補位置を選択することができるので、回線品質に応じてDMRSの配置パターンを選択することができる。
【００４２】
［Option 3：割り当てられたRB pairによるDMRSの配置パターンの選択］
端末は、割り当てられたRB pairによって、DMRSの配置パターンを選択する。これにより、DCIでDMRSの配置パターンを通知する必要がないので、シグナリングのビットを削減することができる。
【００４３】
Option3-1では、割り当てられたRB pair数によってDMRSの配置パターンを選択する。基地局は、RB pairの数がＮ以上の端末に対して、DMRSの削減数がより多い配置パターンを割り当て、RB pair数がＮ未満の端末に対して、DMRSの削減数がより少ない配置パターンを割り当てる。RB pair数が多く割り当てられる端末の回線品質は良い場合が多いので、基地局は、回線品質に合わせてDMRSの削減数を選択することができる。
【００４４】
Option 3-2では、システムバンド幅によって、DMRSの配置パターンを選択する。システムバンド幅によって、PRG （Precoding Resource block Group） size が異なる。PRG sizeは、隣接するRB pairで同一プリコーディングを仮定してよい範囲である。そこで、PRG sizeが１の場合、隣接RB pairのDMRSは、異なるプリコーディングと仮定することができるので、隣接RB pairのDMRSを使用することができない。この場合、基地局は、DMRSの削減数が少ない配置パターンを割り当てる。一方、PRG sizeが２以上の場合、隣接RB pairは同一プリコーディングと仮定することができる。この場合、基地局は、DMRSの削減数が多い配置パターンを割り当てる。
【００４５】
Option 3-3では、割り当てられた連続RB pair数によってDMRSの配置パターンを選択する。基地局は、連続RB pairの数がＭ以上の端末に対して、DMRSの削減数がより多いパターンを割り当て、連続RB pairの数がＭ未満の端末に対して、DMRSの削減数がより少ないパターンを割り当てる。連続して配置されるRB pairの間では、回線品質の相関が高いことが予想されるので、端末は、そのRB pairの間でDMRSを補間した値を用いてチャネル推定することができる。したがって、この場合、DMRSの削減数を多くしても、DMRSを削減したことによる受信品質の低下を抑えることができる。
【００４６】
Option 3-4では、割り当てられたRB pair番号またはRBG（Resource Block Group）番号によってDMRSの配置パターンを選択する。基地局は、割り当てられたリソースの先頭RB pair番号またはRBG番号によって、DMRSの配置パターンを決定する。先頭に割り当てるRBを変えることで、柔軟にDMRSの配置パターンを定めることができる。パターン数がＸの場合、RB pair 番号まはたDMRS番号の modulo X演算でパターンを定めてもよい。
【００４７】
なお、本実施の形態では、DMRSの配置パターンを指定するビット列が上位レイヤで通知される場合について説明したが、本発明はこれに限られず、直接DL DCIに含まれるビットで通知してもよい。これにより、複数のDMRSの配置パターンをダイナミックに選択することができる。
【００４８】
［通信システムの構成］
本実施の形態に係る通信システムは、送信装置と受信装置とを有する。特に、本実施の形態では、送信装置を基地局１００とし、受信装置を端末２００として説明する。この通信システムは、例えば、LTE-Advancedシステムである。そして、基地局１００は、例えば、LTE-Advancedシステムに対応する基地局であり、端末２００は、例えば、LTE-Advancedシステムに対応する端末である。
【００４９】
［基地局１００の要部構成］
図７は、本実施の形態に係る基地局１００の要部構成を示すブロック図である。
【００５０】
基地局１００において、参照信号設定部１０１は、DMRSを生成するとともに、端末２００ごとにDMRSの配置パターンを設定する。そして、参照信号設定部１０１は、DMRS、および、DMRSの配置パターンを示す情報を出力する。
【００５１】
送信部１０６は、参照信号設定部１０１で設定されたDMRSの配置パターンを示す情報、および、当該配置パターンに従って配置されたDMRSを含む送信信号を端末２００へ送信する。
【００５２】
［端末２００の要部構成］
図８は、本実施の形態に係る端末２００の要部構成を示すブロック図である。
【００５３】
端末２００において、参照信号設定部２０６は、受信信号に含まれる制御信号に基づいてDMRSの配置パターンを設定する。そして、参照信号設定部２０６は、DMRSの配置パターンを示す情報を出力する。
【００５４】
復調部２０３は、参照信号設定部２０６から受け取ったDMRSの配置パターンを示す情報に基づいてDMRSの位置を特定し、DMRSを用いてチャネル推定を行い、データ信号を復調する。
【００５５】
［基地局１００の構成］
図９は、本実施の形態に係る基地局１００の構成を示すブロック図である。図９において、基地局１００は、参照信号設定部１０１と、割当情報生成部１０２と、誤り訂正符号化部１０３と、変調部１０４と、信号割当部１０５と、送信部１０６と、受信部１０７と、復調部１０８と、誤り訂正復号部１０９と、を有する。
【００５６】
参照信号設定部１０１は、DMRSを生成する。また、参照信号設定部１０１は、端末２００ごとに、DMRSの配置パターンを決定する。具体的には、参照信号設定部１０２は、全ての配置パターンの中からいくつかの候補を選択する。そして、参照信号設定部１０１は、サブフレームごとに、配置パターンの候補の中から最終的なDMRSの配置パターンを決定する。
【００５７】
そして、参照信号設定部１０１は、選択した配置パターンの候補を示す上位レイヤのシグナリングを制御信号として誤り訂正符号化部１０３へ出力する。また、参照信号設定部１０１は、生成したDMRSと、候補の中から決定したDMRSの配置パターンを示す情報を信号割当部１０５に出力する。
【００５８】
割当情報生成部１０２は、送信すべき下り回線データ信号（DLデータ信号）、及び、上り回線（UL）に割り当てる上り回線データ信号（ULデータ信号）が有る場合、データ信号を割り当てるリソース（RB pair）を決定し、割当情報（DL assignmentおよびUL grant）を生成する。DL assignmentは、DLデータ信号の割当に関する情報、および、参照信号設定部１０１から受け取ったDMRSの配置パターンを示す情報を含む。UL grantは、端末２００から送信されるULデータ信号の割当リソースに関する情報を含む。DL assignmentは、信号割当部１０５へ出力される。UL grantは、信号割当部１０５及び受信部１０７へ出力される。
【００５９】
誤り訂正符号化部１０３は、送信データ信号（DLデータ信号）、及び、参照信号設定部１０１から受け取った制御信号を入力し、入力信号に対して誤り訂正符号化を行い、変調部１０４へ出力する。
【００６０】
変調部１０４は、入力信号に対して変調処理を行い、変調信号を信号割当部１０５へ出力する。
【００６１】
信号割当部１０５は、割当情報生成部１０２から受け取った、DMRSの配置パターンを示す情報を含む割当情報（DL assignment及びUL grant）をEPDCCHまたはPDCCHに割り当てる。また、信号割当部１０５は、変調部１０４から受け取ったデータ信号を、割当情報生成部１０２から受け取った割当情報（DL assignment）に対応する下り回線リソースに割り当てる。さらに、信号割当部１０５は、参照信号設定部１０１から受け取ったDMRSの配置パターンを示す情報に基づいて、参照信号設定部１０１から受け取ったDRMSを割り当てる。なお、信号割当部１０５は、PDSCH領域において、削減したDMRSに対応するREにPDSCH（データ信号）を割り当てる。
【００６２】
このように、割当情報、DMRS及びデータ信号が所定のリソースに割り当てられることにより、送信信号が形成される。形成された送信信号は、送信部１０６へ出力される。
【００６３】
送信部１０６は、入力信号に対してアップコンバート等の送信処理を行い、アンテナを介して端末２００へ送信する。
【００６４】
受信部１０７は、端末２００から送信された信号をアンテナを介して受信し、復調部１０８へ出力する。具体的には、受信部１０７は、割当情報生成部１０２から受け取ったUL grantが示すリソースに対応する信号を受信信号から分離し、分離した信号に対してダウンコンバート等の受信処理を行い、復調部１０８へ出力する。また、受信部１０７は、信号割当部１０５から受け取ったECCEインデックスに関連付けられたPUCCHリソースに対応する信号からＡ／Ｎ信号を抽出（受信）する。
【００６５】
復調部１０８は、入力信号に対して復調処理を行い、得られた信号を誤り訂正復号部１０９へ出力する。
【００６６】
誤り訂正復号部１０９は、入力信号を復号し、端末２００からの受信データ信号を得る。
【００６７】
［端末２００の構成］
図１０は、本実施の形態に係る端末２００の構成を示すブロック図である。図１０において、端末２００は、受信部２０１と、信号分離部２０２と、復調部２０３と、誤り訂正復号部２０４と、制御信号受信部２０５と、参照信号設定部２０６と、誤り訂正符号化部２０７と、変調部２０８と、信号割当部２０９と、送信部２１０と、を有する。
【００６８】
受信部２０１は、基地局１００から送信された信号をアンテナを介して受信し、ダウンコンバート等の受信処理を行い、信号分離部２０２へ出力する。
【００６９】
信号分離部２０２は、受信部２０１から受け取った受信信号のうち、リソース割当に関する制御信号を抽出して制御信号受信部２０５へ出力する。また、信号分離部２０２は、制御信号受信部２０５から出力されたDL assignmentが示すデータリソースに対応する信号（つまり、DLデータ信号）を受信信号から抽出して復調部２０３へ出力する。
【００７０】
復調部２０３は、参照信号設定部２０６から受け取ったDMRSの配置パターンを示す情報に基づいてDMRSの位置を特定し、DMRSを用いてチャネル推定を行う。復調部２０３は、チャネル推定に基づいて、信号分離部２０２から出力された信号を復調し、復調された信号を誤り訂正復号部２０４へ出力する。
【００７１】
誤り訂正復号部２０４は、入力信号を復号し、基地局１００からの受信データ信号を得る。誤り訂正復号部２０４は、特に、DMRSの配置パターンの候補を示す制御信号を参照信号設定部２０６へ出力する。
【００７２】
制御信号受信部２０５は、信号分離部２０２から受け取った信号成分においてブラインド復号を行うことにより、自機宛の制御信号（DL assignment又はUL grant）を検出する。すなわち、制御信号受信部２０５は、参照信号設定部２０６で設定されたサーチスペースを構成する複数の割当候補の内の１つに割り当てられた制御信号を受信する。制御信号受信部２０５は、検出した自機宛のDL assignmentを信号分離部２０２へ出力し、検出した自機宛のUL grantを信号割当部２０９へ出力する。また、制御信号受信部２０５は、DL assignmentに含まれる、DMRSの配置パターンを示す情報を参照信号設定部２０６へ出力する。
【００７３】
参照信号設定部２０６は、誤り訂正復号部２０４から出力されたDMRSの配置パターンの候補を示す制御信号、および、制御信号受信部２０５から出力された、候補の中から決定したDMRSの配置パターンを示す情報に基づいて、最終的なDMRSの配置パターンを決定する。参照信号設定部２０６は、決定したDMRSの配置パターンを示す情報を復調部２０３へ出力する。
【００７４】
誤り訂正符号化部２０７は、送信データ信号（ULデータ信号）を入力し、入力信号を誤り訂正符号化し、変調部２０８へ出力する。
【００７５】
変調部２０８は、入力信号を変調し、変調信号を信号割当部２０９へ出力する。
【００７６】
信号割当部２０９は、入力信号を、制御信号受信部２０５から受け取ったUL grantに従って割り当て、送信部２１０へ出力する。
【００７７】
送信部２１０は、入力信号に対してアップコンバート等の送信処理を行い、アンテナを介して基地局１００へ送信する。
【００７８】
以上のように、本実施の形態によれば、DMRSの配置パターンを端末毎に設定することができるので、各端末の受信環境に適応してDMRSを配置することができ、DMRSを削減したことによる受信品質の低下を抑えることができる。例えば、移動速度が遅い端末に対して時間軸方向にDMRSを削減した配置パターンを割り当て、遅延スプレッドが短い端末に対して周波数軸方向にDMRSを削減した配置パターンを割り当てることができる。そして、削減したDMRSに対応するRSにデータ信号を割り当てることにより、高い伝送レートで通信を行うことができる。
【００７９】
［実施の形態１のバリエーション］
本バリエーションでは、複数のRB pairが割り当てられた際に、チャンネル推定精度を向上させるために、RB pair番号によってDMRSの配置パターンを変更する。特に、1st slotのOFDMシンボル（Normal CPではOFDMシンボル＃５，６）に割り当てられるDMRSの数と2nd slotのOFDMシンボル（Normal CPではOFDMシンボル＃１２，１３）に割り当てられるDMRSの数が異なる場合、すべてのRB pairで同一のDMRSの配置パターンを使用すると、時間軸方向のDMRSの配置に偏りが生ずる。DMRSの配置に偏りがあると、OFDMシンボルあたりのDMRSの送信パワーに偏りが生ずる。そこで、DMRSを配置する各OFDMシンボルにおけるDMRSの数を均一化するため、RB pair番号が奇数のRB pairとRB pair番号が偶数のRB pairでは、DMRSグループの配置を1st slotと 2nd slotで入れ替える。
【００８０】
図１１、図１２は、本バリエーションにおけるDMRSの配置パターンの一例を示す図である。図１１に、1st slotと2nd slotでDMRSグループの数が異なるABCDEF=101010の例を示す。1st slot と 2nd slot で入れ替えない場合（図１１（Ａ））、偶数のRB pairおよび奇数のRB pairのいずれも、ABCが1st slot （OFDMシンボル#5, #6）に対応し、DEFが2nd slot （OFDMシンボル#12, #13）に対応している。したがって、OFDMシンボル#5，#6に送信されるDMRSの数とOFDMシンボル#12，#13に送信されるDMRS数との間に差が生じる。1st slot と 2nd slot でDMRSグループの配置を入れ替える場合（図１１（Ｂ））、偶数のRB pair では、ABCが1st slot に対応し、DEFが2nd slot に対応し、奇数のRB pair では、ABCが2nd slot に対応し、DEFが1st slot に対応する。これにより、DMRSを配置するOFDMシンボルにおけるDMRSの数を均一化することができ、DMRSを配置するOFDMシンボルのDMRSの送信パワーを平均化することができる。
【００８１】
なお、本バリエーションは、1st slotと2nd slotでDMRSグループの数が異なる場合のみに適用し、DMRSグループの数が等しい場合には適用しなくてもよい。図１２に、1st slot と2nd slot でDMRSグループの数が等しいABCDEF=001100の例を示す。1st slot と2nd slotを入れ替えない場合（図１２（Ａ））、同一OFDMシンボルにおいてDMRSの間隔が１２サブキャリア以上離れることはない。一方、1st slot と2nd slotを入れ替える場合（図１２（Ｂ））、同一OFDMシンボルにおいてDMRSの間隔が１２サブキャリア以上離れることがある。周波数軸方向の間隔が離れすぎると、周波数軸方向のチャネル推定精度が劣化してしまう。そこで、周波数軸方向の回線品質精度を劣化させないため、本バリエーションは、1st slot と2nd slotでDMRSグループの数が異なる場合のみに適用し、DMRSグループの数が等しい場合には適用しない。
【００８２】
［実施の形態２］
［概要］
本実施の形態では、DMRSの配置パターンに対して、サブフレームごとにDMRSグループの位置を変更するhoppingを適用する。hoppingを適用することにより、複数のサブフレームにおいて、互いに異なるリソースにDMRSが配置されることになる。この場合、端末は、それらのDMRSを補間した値を用いてPDSCHのチャネル推定を行うことができるので、チャネル推定精度を向上することができる。
【００８３】
Hoppingの方法には、初期値に基づき、端末ごとに異なる規則に従いリソースを変更するrandom hoppingと、初期値に基づき、時間軸(サブフレーム)または周波数軸(サブキャリア)方向に巡回シフトするcyclic shift hoppingとがある。
【００８４】
random hopping では、端末またはセルごとに、サブフレームごとに異なるリソースが選択されるので、初期値において、DMRSが衝突しないように設定しても、異なるサブフレームではDMRSが衝突する可能性がある。このため、干渉をコーディネーションするのではなく、干渉をRandamizeすることができる。したがって、Random hoppingは、基地局間でコーディネーションが困難な場合に有効である。
【００８５】
一方、cyclic shift hoppingでは、初期値の設定で衝突を回避したDMRSは、次のサブフレームにおいても衝突を回避することができる。したがって、初期値の設定で干渉をコーディネーションすることができる。しかしながら、初期値の設定においてDMRSが衝突すると、次のサブフレームにおいてもDMRSが衝突する。したがって、cyclic shift hoppingは、基地局間でコーディネーションが容易である場合に有効である。
【００８６】
図１３は、本実施の形態に係るDMRSの配置パターンの一例を示す図である。図１３では、cyclic shift hoppingの例を示している。本例のDMRSの配置パターンは、ABCDEF=1000101である。本例ではサブフレームごとに同一OFDMシンボル内で周波数軸上にDMRSグループをcyclic shiftさせる。したがって、DMRSグループABCの内でリソースのシフトを行い、DMRSグループDEFの内でリソースのシフトを行う。例えば、DMRSグループAは、サブフレーム０ではサブキャリア#0, #1に配置され、サブフレーム１ではサブキャリア#10, #11に配置され、サブフレーム２ではサブキャリア#5, #6に配置される。
【００８７】
このように、周波数軸上でのDMRSグループのcyclic shift hoppingを適用すると、DMRSを配置するOFDMシンボル間でDMRSを送信するリソース量がサブフレーム間で変化しないので、時間軸上でのチャネル推定精度を初期の配置と同等に保つことができる。
【００８８】
また、random hoping を適用する場合、hopping パターンを、端末ごとまたはセルごとに設定することが望ましい。hopping パターンを端末ごとに設定する場合、端末のID（UEID）またはC-RNTIをhopping パターンの算出に使用すると、端末ごとに異なるhopping パターンを設定することができる。また、hopping パターンを基地局ごとに設定する場合、基地局ID（例えば、PCI（physical cell ID））をhopping パターンの算出に使用すると、基地局ごとに異なるhopping パターンを設定することができる。
【００８９】
さらに、図１３に示すように、hopping ON/OFFを通知するため、上位レイヤのシグナリングを追加してもよい。端末はHopping がONの場合、あらかじめ指定されているhopping パターンに従いDMRSを受信し、hopping がOFFの場合、hopping はないものとしてDMRSを受信する。さらに上位レイヤのビットを追加し、以下のように、hopping ON/OFFおよびhopping patternを細かく指定してもよい。これにより、フレキシビリティが向上する。
00  hopping off
01  cyclic shift hopping
10  UE specific random hopping 
11  Cell specific random hopping 
【００９０】
本実施の形態は、特に、１つの端末に複数のサブフレームが割り当てられる場合に有効である。１つの端末に複数のサブフレームを同時に割り当てることをマルチサブフレーム割り当てと呼ぶ。マルチサブフレームが割り当てられた場合、端末は、複数のサブフレームが自局に割り当てられていると認識し、複数のサブフレームに配置されるDMRSは同一のプリコーディングであると仮定することができる。したがって、端末は、前後のサブフレームのDMRSを補間した値を用いてチャネル推定を行うことができる。この場合、サブフレーム間で異なるサブキャリアにDMRSを配置すると周波数軸方向のチャネル推定精度を向上することができる。そこで、サブフレーム間のrandom hopping またはcyclic shift hopping を適用すると、サブフレーム間で異なるサブキャリアにDMRSが配置されるので、周波数軸方向のチャネル推定精度を向上することができる。
【００９１】
なお、本実施の形態では、サブフレーム間でDMRSの配置パターンを変更するhopping を適用したが、本発明はこれに限られず、RB間でDMRSの配置パターンを変更するhopping を適用してもよい。特に、時間軸方向のホッピングを適用すると、1st slot と2nd slot でDMRSのリソース量が異なる場合、DMRSホッピングによりDMRSのリソース量が平均化され、DMRSの送信パワーを平均化することができる。
【００９２】
［他の実施の形態］
［１］上記実施の形態１、２では、DMRSを配置しなかったREにPDSCHを配置したが、本実施の形態ではDMRSを配置しなかったREにPDSCHを配置しない。換言すれば、当該DMRSのパワーを０にする。このようなDMRSを zero power DMRSと呼ぶ。本実施の形態によれば、特に、DMRSの配置がオーバラップしないようにDMRSの配置パターンが設定された端末間では、DMRSの送信パワーを上げて送信しても、PDSCHおよびDMRSへの干渉量が増加しないという利点がある。
【００９３】
図１４は、本実施の形態に係るDMRSの配置パターンの一例を示す図である。図１４では、zero power DMRS を適用する例を示す。本例では上位レイヤのシグナリングを１ビット追加し、zero power DMRS ON/OFFを通知する。Zero power DMRS がOFFの場合（図１４（Ａ））、DMRSを配置しなかったREにはPDSCHを配置して送信する。Zero power DMRS がONの場合（図１４（Ｂ））、DMRSを配置しなかったREにはPDSCHを配置しない。
【００９４】
［２］上記の通り、マルチサブフレームが割り当てられた場合、端末は、複数のサブフレームが自局当てであると認識し、複数のサブフレームに配置されるDMRSは同一のプリコーディングであると仮定することができる。しかしながら、割り当ての先頭サブフレームでは、１つ前のサブフレームのDMRSを使用することができないため、OFDMシンボルの先頭部分のチャネル推定精度が劣化する。そこで、本実施の形態では、初回のサブフレームでは両スロットにDMRSを配置する。
【００９５】
図１５は、本実施の形態に係るDMRSの配置パターンの一例を示す図である。図１５のDMRSの配置パターンはABCDEF=000101であり、DMRSが2nd slot のみに配置されるパターンである。また、図１５の例では、連続するサブフレーム0，1，2が割り当てられている。この場合、サブフレーム1，2には、DMRSの配置パターン通りにDMRSグループD,FにDMRSが配置され、他のDMRSのリソースにはPDSCHが配置される。一方、先頭のサブフレーム0には、1st slot にもDMRSが配置される。配置パターンは2nd slot と同一のサブキャリアとする。これにより、割り当ての先頭サブフレームのチャンネル推定精度を向上させることができる。
【００９６】
なお、本例では、1st slot のDMRSのパターンを2nd slot と同一としたが、1st slot ではすべてのDMRSグループABCにDMRSを配置してもよい。これにより、どのようなDMRSの配置パターンであっても同一のフォーマットを適用することができる。
【００９７】
［３］本実施の形態では、MU-MIMOをサポートするため、DMRSの配置パターンの適用を制限する。MU-MIMOを適用する場合、DMRSが配置されるREが端末間で同一であると、DMRS間の干渉を除去しやすい。特にOCCで多重されるアンテナポート#7とアンテナポート#8の多重では、同一のREsにDMRSが配置されると、DMRSが直交多重されているので、端末は、DMRS間の干渉を除去することができ、チャネル推定精度を向上することができる。また、MU-MIMOは、主にアンテナポート#7，#8を使用して行われる。LTE-Advancedでは、端末は、MU-MIMOが適用されているか否かを通知されないので、MU-MIMOが適用されているか否か分からずに自局宛の信号を受信する。
【００９８】
そこで、本実施の形態では、アンテナポート#7または#8が割り当てられ、アンテナポート#9が割り当てられなかった場合、基地局は、DMRSを削減したDMRSの配置パターンであっても、全てのDMRSグループ（DMRSを配置可能なすべてのRE）にDMRSを配置する（図１６（Ａ））、あるいは、予め定められたDMRSの配置パターンに従ってDMRSを配置する（図１６（Ｂ））、ものとする。これにより、MU-MIMOでペアとなる端末間で同一のDMRSの配置パターンを使用し、各端末においてDMRS間の干渉を除去することができる。なお、予め定められたDMRSの配置パターンは、すべての端末に対して共通のパターンであってもよく、端末のUE-ID等によって端末間で異なるパターンでもよい。予め定められたDMRSの配置パターンが端末間で異なる場合、DMRSを同一REに送信するため、基地局は、同一のDMRSの配置パターンが割り当てられている端末同士をMU-MIMOのペアとして選択する。
【００９９】
このように、アンテナポート#7, #8が割り当てられたことにより、DMRSの配置パターンを変更することにより、端末は、MU-MIMOをしているかどうか判定できないが、MU-MIMOをしている場合にDMRSの割り当てリソースを同一リソースに設定することができる。
【０１００】
［４］また、本発明では、基地局が端末にDMRSを配置するDMRSグループの間隔（周波数軸方向あるいは時間軸方向）を通知してもよい。この時、端末は、間隔に従い複数のRB pair に渡って、DMRSの送信位置を決定する。図１７は、本実施の形態に係るDMRSの配置パターンの一例を示す図である。図１７では、周波数軸方向の間隔を指示する例を示す。図１７（Ａ）は、既存の配置パターンの通りにDMRSを配置した例である。図１７（Ｂ）は、既存の配置パターンを基準とし、周波数軸方向に１つおきのDMRSグループにDMRSを配置した例である。図１７（Ｃ）は、既存の配置パターンを基準とし、周波数軸方向に２つおきのDMRSグループにDMRSを配置した例である。既存のDMRSグループの配置では、周波数軸上のRB pair の境にDMRSグループが配置されている。それらは隣接していたので、この周囲のリソースのチャネル推定精度が過剰に高くなっていた。図１７（Ｂ）では、隣接する２つのDMRSグループのうち片方のみからDMRSが送信されるので、周波数軸方向のチャネル推定精度の劣化を抑えつつDMRSの数を削減することができる。なお、本実施の形態では、６つのDMRSグループについてDMRSの送信の有無を個別に通知するよりも、通知ビット数を削減することができる。
【０１０１】
［５］また、本発明では、各DMRSグループのエレメントの配置順序をDMRSグループ毎に異ならせても良い。以下、DMRSグループが４つのエレメントabcdである場合を例に説明する。直交符号長４のOCCのエレメントabcdは、以下の式で表現される。
【数１】
2018038045.tif 000004
【０１０２】
図１８（Ａ）に示すように、abcdの配置がアンテナポートごとに異なり、さらにアンテナポート#7, #8, #11, #13では、昇順abcd （図中→）とその逆順の降順dcba（図中←）が周波数軸上に交互に配置されている。これにより、OFDMシンボル内で同一位相の信号ばかりが送信されることを防いでいる。アンテナポート#9, #10, #12, #14も同様に、cdab（図中→）と逆順のbadcが交互に配置されている。ただし、周波数軸方向にDMRSグループを１つおきに配置すると（図１８（Ｂ））、同一順（図中←）のOCC符号のみが選択されてしまい、パワーバランスが悪くなる。そこで、図１８（Ｃ）に示すように、DMRSを配置するDMRSグループにおいて、昇順と降順を交互に使用するように定めてもよい。
【０１０３】
［その他］
［１］なお、本発明において、DMRSの配置パターンは、PDSCH領域に送信されるEPDCCHには適用しない。EPDCCHのマッピングは、DMRSが配置されるREを避けるように規定されている。また、複数の端末でEPDCCHが配置されるREは共有されている。したがって、端末ごとに異なる配置パターンを設定すると、EPDCCHを同一RBに配置することが困難となる。
【０１０４】
［２］また、本発明において、DMRSの配置パターンを、PDSCH領域に送信されるEPDCCHに適用してもよい。その際、DMRSの配置パターンは、EPDCCHセットを割り当てる際に上位レイヤで通知されてもよい。このようにすると、EPDCCHのコードレートを下げることができ、回線品質が良い場合、リソースの利用効率を改善することができる。
【０１０５】
［３］また、本発明において、DMRSの配置パターンの適用を、変調多値数が高い方式（例えば、16QAM, 64QAM, 256QAM等）または符号化率が高い方式が用いられている場合に限定してもよい。DMRSを削減することは、回線品質が良い場合に有効である。回線品質が良い場合、変調多値数が高い方式が使用される。同様に、回線品質が良い場合、符号化率が高い方式が使用される。
【０１０６】
したがって、DMRSの配置パターンの適用を、変調多値数が高い方式または符号化率が高い方式が用いられている場合に限定する。これにより、回線品質が悪い場合にはDMRSを削減しない配置パターンが使用されるので、DMRSの受信品質を確保することができる。LTEでは、これらの変調多値数と符号化率はMCS (Modulation and Coding Scheme)テーブルによって決まるので、MCSテーブルのインデックスによって、適用するかしないかを決めてもよい。
【０１０７】
［４］また、上記の実施の形態１では、１ビットが示すDMRSの単位（DMRSグループ）は、アンテナポート数が３以上の場合（アンテナポート#9を使用する場合）、サブキャリア方向に２個、OFDMシンボル方向に２個の隣接する４REをグループとしたが、本発明はこれに限られず、隣接する２OFDMシンボルとしてもよい。この場合、通知に必要となるビット数は１２ビットとなる。このとき、アンテナポート#7, #8, #11, #13とアンテナポート#9, #10, #12, #14とで、別々にDMRSの削減数を設定することができる。例えば、自セルがアンテナポート#7〜#10を使用しており、他セルがアンテナポート#7, #8のみを使用している場合、他セルのDMRSに与える干渉を低減するため、使用するリソース数を削減することができる。
【０１０８】
［５］また、本発明では、基地局が端末に複数のRBのDMRSグループを同時に通知してもよい。例えば、１RB pair あたり６DMRSグループがある場合、２RB pairであれば１２ビットで１２DMRSグループ、３RBであれは１８ビットで１８DMRSグループを同時に通知し、そのパターンを２RB pairごと、または、３RB pairごとに同一パターンを繰り返す。特に、DMRSグループ数が少ない割り当てを選択する場合に、時間、周波数軸方向にバランスのとれたパターンを選択することができる。
【０１０９】
［６］なお、上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１１０】
例えば3GPP LTEにおいては、アンテナポートが何本の物理アンテナから構成されるかは規定されず、基地局が異なる参照信号（Reference signal）を送信できる最小単位として規定されている。
【０１１１】
また、アンテナポートはプリコーディングベクトル（Precoding vector）の重み付けを乗算する最小単位として規定されることもある。
【０１１２】
［７］上記各実施の形態では、本発明をハードウェアで構成する場合を例にとって説明したが、本発明はハードウェアとの連携においてソフトウェアでも実現することも可能である。
【０１１３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサーを利用してもよい。
【０１１５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１６】
また、上記実施の形態の送信装置は、受信装置毎にDMRS(Demodulation Reference Signal)の配置パターンを設定する参照信号設定手段と、前記DMRSの配置パターンを示す情報、および、前記配置パターンに従ってリソースに配置されたDMRSを含む送信信号を送信する送信手段と、を具備する構成を採る。
【０１１７】
また、上記実施の形態の送信装置は、前記設定手段は、サブフレーム毎に、前記DMRSの配置パターンを設定する、構成を採る。
【０１１８】
また、上記実施の形態の送信装置は、前記設定手段は、前記DMRSを配置可能な複数の隣接リソース単位からなるDMRSグループ毎に、前記DMRSを配置するか否かを決定することにより、前記DMRSの配置パターンを設定する、構成を採る。
【０１１９】
また、上記実施の形態の送信装置は、前記設定手段は、予め上位レイヤのシグナリングで前記DMRSの配置パターンの候補を各受信装置に通知し、その後、動的に、前記DMRSの配置パターンの候補の中から１つを選択することにより、前記DMRSの配置パターンを設定する構成を採る。
【０１２０】
また、上記実施の形態の送信装置は、前記設定手段は、上位レイヤのシグナリングで、EPDCCH (Enhanced Physical Dedicated Control Channel) set またはPDCCH setごとに前記DMRSの配置パターンを設定する、構成を採る。
【０１２１】
また、上記実施の形態の送信装置は、前記設定手段は、上位レイヤのシグナリングで、EPDCCHの候補位置ごとに前記DMRSの配置パターンを設定する、構成を採る。
【０１２２】
また、上記実施の形態の送信装置は、前記設定手段は、割り当てられたRB pair数によって前記DMRSの配置パターンを選択する、構成を採る。
【０１２３】
また、上記実施の形態の送信装置は、前記設定手段は、システムバンド幅によって前記DMRSの配置パターンを選択する、構成を採る。
【０１２４】
また、上記実施の形態の送信装置は、前記設定手段は、割り当てられた連続RB pair数によって前記DMRSの配置パターンを選択する、構成を採る。
【０１２５】
また、上記実施の形態の送信装置は、前記設定手段は、割り当てられたRB pair番号またはRBG (Resource Block Group）番号によって前記DMRSの配置パターンを選択する、構成を採る。
【０１２６】
また、上記実施の形態の送信装置は、前記DMRSの配置パターンは、前記PRB pairの前半である1st slotと、前記PRB pairの後半である2nd slotの両方に前記DMRSグループを有するものであり、前記設定手段は、RB pair番号が奇数のRB pairとRB pair番号が偶数のRB pairとで、前記DMRSグループの配置を1st slot と 2nd slot で入れ替える、構成を採る。
【０１２７】
また、上記実施の形態の送信装置は、前記DMRSの配置パターンを示す情報は、前記各DMRSグループについて前記DMRSを配置するか否かを１ビットで表すビット列である、構成を採る。
【０１２８】
また、上記実施の形態の送信装置は、全ての前記DMRSグループにおいて前記DMRSを配置しないことを表す第１ビット列は、他の動作を示す、構成を採る。
【０１２９】
また、上記実施の形態の送信装置は、前記第１ビット列は、先頭の２OFDMシンボルにDMRSを配置することを示す、構成を採る。
【０１３０】
また、上記実施の形態の送信装置は、前記第１ビット列は、１つおきのRB (Resource Block) pair にDMRSを配置することを示す、構成を採る。
【０１３１】
また、上記実施の形態の送信装置は、前記第１ビット列は、CRS (Cell specific Reference Signal)を用いてPDSCH (Physical Downlink Shared Channel)を復調することを指示する、構成を採る。
【０１３２】
また、上記実施の形態の送信装置は、前記設定手段は、サブフレーム毎に、前記DMRSグループの位置を変更する、構成を採る。
【０１３３】
また、上記実施の形態の送信装置は、前記設定手段は、RB間で、前記DMRSグループの位置を変更する、構成を採る。
【０１３４】
また、上記実施の形態の送信装置は、前記設定手段は、前記DMRSを配置しなかったDMRSグループのリソース単位にPDSCHを割り当てる、構成を採る。
【０１３５】
また、上記実施の形態の送信装置は、前記設定手段は、前記DMRSを配置しなかったDMRSグループのリソース単位の送信電力を０にする、構成を採る。
【０１３６】
また、上記実施の形態の送信装置は、前記DMRSの配置パターンは、PRB pairの前半である1st slotと、前記PRB pairの後半である2nd slotの両方に前記DMRSグループを有するものであり、前記設定手段は、所定の受信装置に対して、前記2nd slotのDMRSグループにのみ前記DMRSを配置する配置パターンを選択し、かつ、複数のサブフレームを割り当てた場合、最初のサブフレームでは、前記1st slotのDMRSグループに前記DMRSを配置する、構成を採る。
【０１３７】
また、上記実施の形態の送信装置は、前記設定手段は、アンテナポート#7または#8が割り当てられ、アンテナポート#9が割り当てられなかった場合には、全てのDMRSグループにDMRSを配置する、あるいは、予め定められたDMRSの配置パターンに従ってDMRSを配置する、構成を採る。
【０１３８】
また、上記実施の形態の送信装置は、前記送信部は、周波数軸方向あるいは時間軸方向における、前記DMRSを配置するDMRSグループの間隔を示す情報を送信信号に含める、構成を採る。
【０１３９】
また、上記実施の形態の送信装置は、前記設定手段は、前記各DMRSグループのリソース単位の配置順序を前記DMRSグループ毎に異ならせる、構成を採る。
【０１４０】
また、上記実施の形態の送信装置は、前記設定手段は、前記DMRSを配置するDMRSグループにおいて、昇順と降順を交互に使用する、構成を採る。
【０１４１】
また、上記実施の形態の受信装置は、受信信号に含まれる制御信号に基づいてDMRSの配置パターンを設定する参照信号設定手段と、前記DMRSの配置パターンに基づいてDMRSの位置を特定し、前記DMRSを用いてチャネル推定を行い、データ信号を復調する復調手段と、を具備する構成を採る。
【０１４２】
また、上記実施の形態の制御信号配置方法は、受信装置毎にDMRS(Demodulation Reference Signal)の配置パターンを設定し、前記DMRSの配置パターンを示す情報、および、前記配置パターンに従ってリソースに配置されたDMRSを含む送信信号を送信する。
【０１４３】
また、上記実施の形態の復調方法は、受信信号に含まれる制御信号に基づいてDMRSの配置パターンを設定し、前記DMRSの配置パターンに基づいてDMRSの位置を特定し、前記DMRSを用いてチャネル推定を行い、データ信号を復調する。
【産業上の利用可能性】
【０１４４】
本発明は、LTE-Advancedに準拠した移動通信システムに用いるのに好適である。
【符号の説明】
【０１４５】
１００  基地局
２００  端末
１０１，２０６  参照信号設定部
１０２  割当情報生成部
１０３，２０７  誤り訂正符号化部
１０４，２０８  変調部
１０５，２０９  信号割当部
１０６，２１０  送信部
１０７，２０１  受信部
１０８，２０３  復調部
１０９，２０４  誤り訂正復号部
２０２  信号分離部
２０５  制御信号受信部
【図１】
2018038045.tif 000005
【図２】
2018038045.tif 000006
【図３】
2018038045.tif 000007
【図４】
2018038045.tif 000008
【図５】
2018038045.tif 000009
【図６】
2018038045.tif 000010
【図７】
2018038045.tif 000011
【図８】
2018038045.tif 000012
【図９】
2018038045.tif 000013
【図１０】
2018038045.tif 000014
【図１１】
2018038045.tif 000015
【図１２】
2018038045.tif 000016
【図１３】
2018038045.tif 000017
【図１４】
2018038045.tif 000018
【図１５】
2018038045.tif 000019
【図１６】
2018038045.tif 000020
【図１７】
2018038045.tif 000021
【図１８】
2018038045.tif 000022